(57)【要約】【課題】重量およびコストの増加。【解決手段】ロックスプリング３０のシャフト７の外周に巻き付く摩擦力でロックするロック装置をオットマンに設ける。ロックスプリング３０の巻き付きを切替える自由端３５と、該自由端３５が継脱してロック位置とアンロック位置とに保持する切替カム溝３８と、該切替カム溝３８に自由端３５を継脱させる当接部材４５とを設ける。切替カム溝３８と当接部材４５は相対的に移動して自由端３５が切替カム溝３８に継脱するように構成する。自由端３５は、切替カム溝３８と当接部材４５とが並んだときに、アンロック用当接部４７からアンロック用カム面３６に移動するように構成した車両用シートのオットマン。【選択図】図２
2008013132.tif 000002
【特許請求の範囲】
【請求項１】
シート１の座席シート２側に固定または着脱自在に設けた固定側ブラケット６に、ロック機構Ｌを介してオットマン４のオットマンフレーム８を所望高さ位置でロック可能に回動自在に設け、該ロック機構Ｌは、前記固定側ブラケット６に側方に突き出るように設けたシャフト７の外周に巻き付く摩擦力でロックするコイル部３１を有するロックスプリング３０と、前記コイル部３１の巻き付きによるロックと緩むアンロックとに切替えする前記コイル部３１の一端部に形成した自由端３５と、該自由端３５が継脱してロック位置とアンロック位置とに保持する切替カム溝３８と、該切替カム溝３８に自由端３５を継脱させる当接部材４５とを有して形成し、前記切替カム溝３８はシャフト７の軸心と略平行方向のアンロック用カム面３６を有し、該切替カム溝３８と前記当接部材４５はシャフト７の軸方向に並設し、前記切替カム溝３８と前記当接部材４５のアンロック用当接部４７とは、相対的に移動して、前記シャフト７の軸心に対して放射方向に突出する自由端３５を、シャフト７の軸心方向に移動させて切替カム溝３８に継脱させるように構成すると共に、前記自由端３５は、前記アンロック用当接部４７と前記アンロック用カム面３６とが並んだときに、アンロック用当接部４７からアンロック用カム面３６に移動するように構成した車両用シートのオットマン。
【請求項２】
請求項１において、前記自由端３５は、該自由端３５自体の弾性により前記シャフト７の軸心方向であって切替カム溝３８への係合方向に常時付勢されるように構成した車両用シートのオットマン。
【請求項３】
請求項２において、前記当接部材４５の周縁には前記アンロック用カム面３６に当接している自由端３５をシャフト７の軸方向の離脱方向に移動させる傾斜解除面５２を設けた車両用シートのオットマン。
【発明の詳細な説明】
【技術分野】
【０００１】
本発明は、先端位置を上下回動させて、座席シートに対して所望高さの使用状態に高さ（角度）調節自在にしたオットマンに係るものである。
【背景技術】
【０００２】
従来、座席シートの前側に、左右方向のシャフトの軸周りに回動自在にオットマンを取付け、オットマンの先端高さの調節を、モーターを利用して行うものは公知である。（特許文献１）。
【特許文献１】特開平１０−２３６２０８号公報
【発明の開示】
【発明が解決しようとする課題】
【０００３】
前記公知例は、モーターを利用して高さ調節するため、重量が嵩む上に、高価となる課題がある。
本願は、コイルバネの摩擦を利用して無段階に高さ調節できるオットマンを提供するものである。
【課題を解決するための手段】
【０００４】
本発明は、シート１の座席シート２側に固定または着脱自在に設けた固定側ブラケット６に、ロック機構Ｌを介してオットマン４のオットマンフレーム８を所望高さ位置でロック可能に回動自在に設け、該ロック機構Ｌは、前記固定側ブラケット６に側方に突き出るように設けたシャフト７の外周に巻き付く摩擦力でロックするコイル部３１を有するロックスプリング３０と、前記コイル部３１の巻き付きによるロックと緩むアンロックとに切替えする前記コイル部３１の一端部に形成した自由端３５と、該自由端３５が継脱してロック位置とアンロック位置とに保持する切替カム溝３８と、該切替カム溝３８に自由端３５を継脱させる当接部材４５とを有して形成し、前記切替カム溝３８はシャフト７の軸心と略平行方向のアンロック用カム面３６を有し、該切替カム溝３８と前記当接部材４５はシャフト７の軸方向に並設し、前記切替カム溝３８と前記当接部材４５のアンロック用当接部４７とは、相対的に移動して、前記シャフト７の軸心に対して放射方向に突出する自由端３５を、シャフト７の軸心方向に移動させて切替カム溝３８に継脱させるように構成すると共に、前記自由端３５は、前記アンロック用当接部４７と前記アンロック用カム面３６とが並んだときに、アンロック用当接部４７からアンロック用カム面３６に移動するように構成した車両用シートのオットマンとしたものである。
本発明は、前記自由端３５は、該自由端３５自体の弾性により前記シャフト７の軸心方向であって切替カム溝３８への係合方向に常時付勢されるように構成した車両用シートのオットマンとしたものである。
本発明は、前記当接部材４５の周縁には前記アンロック用カム面３６に当接している自由端３５をシャフト７の軸方向の離脱方向に移動させる傾斜解除面５２を設けた車両用シートのオットマンとしたものである。
【発明の効果】
【０００５】
請求項１の発明では、ロックスプリング３０の摩擦を利用して無段階に高さ調節できるオットマンを、安価に提供できる。
請求項２の発明では、自由端３５は、それ自体の弾性により切替カム溝３８に向かって移動するから、簡素な構成でオットマン４のロック解除可能にできる。
請求項３の発明では、アンロック状態の自由端３５を、ロック可能状態に復帰させる構成を、簡単に構成でき、安価に提供できる。
【発明を実施するための最良の形態】
【０００６】
本発明の実施例を図面により説明すると、１は車両用シート、２は座席シート、３は座席シート２に傾斜角度調節自在に設けた背凭シート、４は座席シート２の前方に設けたオットマンである。
オットマン４は、例えば、本来使用される所定の使用範囲Ａではオットマン４の下方回動をロックして荷重を支受し、且つ、上方回動のみ自在にして高さ調節可能にし、使用範囲Ａの上限位置と同じかそれより上方回動させうる所定範囲を戻し範囲Ｂとし、戻し範囲Ｂではアンロック状態になって下方回動自在とし、戻し範囲Ｂから使用範囲Ａの最下方位置まで一旦下方回動させて、最下方位置でロック可能状態に復帰させてから使用範囲Ａでは上方回動のみ自在となるように構成してている（図２）。
【０００７】
前記オットマン４は、一対の支持杆５を有し、支持杆５を座席シート２の座席骨格フレーム（図示省略）の前側に設けた支持部材９に前後移動自在に挿通して取り付け、オットマン４は座席シート２に対して前後位置調節可能に構成すると、オットマン４の使い勝手が向上して好適である。支持杆５を支持部材９に前後移動自在とする前後位置調節機構の構成は任意であり、例えば、支持杆５に係合凹部を形成し、座席骨格フレームの支持部材に係合凹部に係合する係合部材（図示省略）を設ければよい。
前記オットマン４は、前記支持杆５側に固定側ブラケット６を固定状態に設け、該固定側ブラケット６に、左右方向のシャフト７を軸心としてオットマン４のオットマンフレーム８を上下回動自在に取付ける。
【０００８】
シャフト７は途中部分に段部１０を形成し（図５）、段部１０より一方側のシャフト７は大径部１１に形成し、段部１０より他方側のシャフト７は小径部１２に形成する（図５）。
前記オットマン４のオットマンフレーム８には、バネ取付用ブラケット１４を固定し（図５）、バネ取付用ブラケット１４の側板１５には一方側に突き出る円筒形状のバーリング部１６を形成する。バーリング部１６は、その内径を前記シャフト７の小径部１２の外径と同じに形成して、小径部１２をバーリング部１６の透孔１７に挿通し、バーリング部１６の端面１８にシャフト７の段部１０を当接させる。
前記小径部１２の先端には母線方向に切り欠いて係合溝１９と係合突起２０を円周方向に交互に複数形成する。
【０００９】
シャフト７の各係合突起２０はプレート２５の各挿通孔２６に挿入する。
バーリング部１６の透孔１７に挿通したシャフト７は、シャフト７の小径部１２の係合突起２０をプレート２５の挿通孔２６に挿通させた状態で、シャフト７とプレート２５とに通電し、プロジェクション溶接する。
しかして、オットマン４は、そのオットマンフレーム８の基部と固定側ブラケット６との間にロック装置Ｌを設ける。ロック装置Ｌは、前記シャフト７の大径部１１の外周にロックスプリング３０のコイル部３１を嵌合させ、コイル部３１と大径部１１の外周との摩擦によってロックし、摩擦解除によりアンロックとなって高さ（傾斜）調節できるように構成する。
【００１０】
ロックスプリング３０の一端はオットマンフレーム８に固定のバネ取付用ブラケット１４のステイ３２に係合させて一方側端部（固定側端部）３３に形成し、ロックスプリング３０の他端は他方側端部（自由端）３５に形成し、コイル部３１は、オットマン４の下動に伴って固定側端部３３が回転すると、締まる巻き方向に設定し、これにより、他端が自由端３５であってもオットマン４を下方回動させようとすると、シャフト７の大径部１１およびバーリング部１６の外周とコイル部３１の内周との摩擦抵抗によりコイル部３１の直径を小にする方向に作用し、この摩擦抵抗によりオットマン４の下方回動を阻止してロックさせる。
【００１１】
前記バネ取付用ブラケット１４には、前記ロックスプリング３０の自由端３５をアンロック位置に保持するアンロック用カム面３６を有する切替カム溝３８を形成する。
切替カム溝３８は、シャフト７の軸心方向と略平行になるように屈曲させたバネ取付用ブラケット１４の屈曲板部３９に、シャフト７の軸心方向に開口して形成する。
アンロック用カム面３６は、切替カム溝３８のオットマン４の上方回動方向側（上面側）に形成し、シャフト７の軸心方向に対して外側に至るに従い所定角度に傾斜させて形成する。
【００１２】
切替カム溝３８内には、自由端３５が切替カム溝３８への係合を誘導する案内カム面３７を形成する。案内カム面３７は、切替カム溝３８の下方回動方向側に、切替カム溝３８の開口方向（左方向）に至るに従い高くなるように傾斜させて形成し、アンロック用カム面３６の外端と案内カム面３７の先端との間には自由端３５が通り抜け可能な隙間４１を設ける（図８）。
また、前記案内カム面３７の先端は、アンロック用カム面３６の外端より外側で、且つ、上方に位置するように構成する。
【００１３】
即ち、案内カム面３７の先端は、アンロック用カム面３６の外端に対して外側の上方位置にオーバーハングするように位置して、自由端３５が案内カム面３７に当接したときにはアンロック用カム面３６に確実に案内するように構成している。
前記自由端３５は、該自由端３５自体の弾性により前記シャフト７の軸心方向であって切替カム溝３８への係合方向に常時付勢されるように構成する。
即ち、自由端３５自体の弾性は、コイル部３１の円周方向のみならずシャフト７の軸心方向にも作用するようにしている。
【００１４】
しかして、アンロック用カム面３６の外端の一部は、円弧形状のカム溝案内面４０に形成し、カム溝案内面４０よりも上側部分の屈曲板部３９は、シャフト７の軸心方向に対して交差方向のフランジ面４２を形成し、フランジ面４２は前記案内カム面３７の先端より内側に位置させる。
一方、シャフト７の大径部１１の端部には、オットマン４の回動により移動する自由端３５が当接する当接部材４５を設ける（図５）。当接部材４５は、シャフト７の軸心に対して交差方向の板部材４６をシャフト７の大径部１１の端部に固定し、板部材４６には切替カム溝３８に自由端３５を嵌合（係合）させるアンロック用当接部４７を設ける（図８）。
【００１５】
アンロック用当接部４７はロック状態の自由端３５に当接し、アンロック用当接部４７により上方回動が停止された自由端３５は切替カム溝３８と一致すると切替カム溝３８に向かって軸方向に移動して嵌合する。
これにより自由端３５はアンロック用カム面３６に係合し、ロックスプリング３０のコイル部３１を緩ませてアンロック状態に保持する。
なお、自由端３５自体の弾性により、アンロック用当接部４７からアンロック用カム面３６に乗り移るが、自由端３５が切替カム溝３８と一致しても切替カム溝３８に係合しないときに、案内カム面３７が自由端３５を切替カム溝３８に嵌合させる。
【００１６】
しかして、板部材４６のアンロック用当接部４７の内端より後側の周縁は、アンロック保持面４８に形成する。アンロック保持面４８は屈曲板部３９のフランジ面４２より内側に位置し、アンロック用カム面３６に当接した自由端３５が切替カム溝３８より外れるの防止する作用を期待する。
しかして、アンロック用カム面３６とアンロック用当接部４７とは、アンロック用当接部４７とアンロック用カム面３６が並んだ（略直線状）位置となったとき、自由端３５がアンロック用当接部４７の内端からアンロック用カム面３６の外端に乗り移るように構成する。
【００１７】
即ち、自由端３５がアンロック用カム面３６に衝突するのは、アンロック用当接部４７の端部を過ぎたときにアンロック用カム面３６との間に段差が生じるからであり、アンロック用当接部４７からアンロック用カム面３６に受け渡す自由端３５の移動タイミングを、アンロック用当接部４７とアンロック用カム面３６が略直線状になったときとし、自由端３５がアンロック用当接部４７からアンロック用カム面３６に段差がないときに乗り移るように構成する。
【００１８】
しかして、アンロック用当接部４７の内端の一部は円弧形状の当接部案内面４９に形成し、屈曲板部３９の切替カム溝３８のアンロック用カム面３６の外端部には円弧形状のカム溝案内面４０を形成し、製造組立ての公差の存在によるアンロック用当接部４７とアンロック用カム面３６との間に段差が生じても、当接部案内面４９および／またはカム溝案内面４０により段差を吸収し、自由端３５は当接部案内面４９およびカム溝案内面４０に摺接しながら移動して、自由端３５がアンロック用カム面３６に衝突する異音の発生を防止するようにしている。
【００１９】
そのため、カム溝案内面４０および当接部案内面４９は、公差より大きい半径の円弧面に形成すると、アンロック用当接部４７とアンロック用カム面３６との間の段差を吸収し、自由端３５はアンロック用当接部４７とアンロック用カム面３６に常時摺接しながら移動して、自由端３５がアンロック用カム面３６に衝突する異音は発生しない。
また、屈曲板部３９のフランジ面４２と当接部材４５のアンロック保持面４８とが互いにシャフト７の軸方向に重なるように配置する。
【００２０】
したがって、カム溝案内面４０と当接部案内面４９の円弧面は互いにシャフト７の軸方向に重なり、アンロック用当接部４７からアンロック用カム面３６への移動は円滑となり、異音発生を抑制する。
自由端３５はフランジ面４２に摺接しながらアンロック用当接部４７により押されて切替カム溝３８のアンロック用カム面３６に向かいつつ、フランジ面４２からカム溝案内面４０を通ってアンロック用カム面３６に当接し、カム溝案内面４０を過ぎた自由端３５は引き続き当接部案内面４９の円弧面で内側に向けてアンロック用カム面３６に摺接しながら押される。
【００２１】
したがって、フランジ面４２に当接していた自由端３５は、屈曲板部３９の側縁から切替カム溝３８に離れることなく係合するため、自由端３５自体の弾力により屈曲板部３９の側縁あるいは切替カム溝３８の内周と衝突するのが防止され、不快な異音（打撃音・金属衝突音）の発生を防止する。
しかして、板部材４６の前側部分には前記切替カム溝３８のアンロック用カム面３６に係合している自由端３５をアンロック用カム面３６から離脱させて自由状態に復帰させるアンロック解除部５０を設ける（図５、図８）。アンロック解除部５０は板部材４６の前端部をバネ取付用ブラケット１４に向けて屈曲させた屈曲部５１により形成する。
【００２２】
屈曲部５１の上面側は先端より基部に至るに従い低く下側（上方回動方向側）に傾斜する傾斜解除面５２を形成し、傾斜解除面５２の先端部は切替カム溝３８（アンロック用カム面３６）よりも内側に位置させ、アンロック用カム面３６に当接している自由端３５をアンロック解除部５０の傾斜解除面５２により案内移動させてアンロック用カム面３６（切替カム溝３８）から離脱させて、アンロック状態からロック可能状態に切替える。
即ち、傾斜解除面５２は、シャフト７の軸心に対して所定角度傾斜させた傾斜面に形成することで、アンロック用カム面３６に当接している自由端３５をシャフト７の軸方向の外側に移動させる。
【００２３】
しかして、当接部材４５の板部材４６の内側には樹脂ワッシャ６０を設ける（図６）。樹脂ワッシャ６０は前記当接部材４５の板部材４６の内面とロックスプリング３０のコイル部３１との間に挟持されるように位置する。樹脂ワッシャ６０は自由端３５を屈曲板部３９のフランジ面４２に常時押し付けるように作用すると共に、アンロック用カム面３６から離脱する自由端３５が当接するようにして、異音の発生を抑制するものである。
しかして、前記当接部材４５の板部材４６には係合孔７０を形成し、係合孔７０にシャフト７の大径部１１の外端部に形成した係合突起７１を係合させて取付位置不動にする。
この状態で、オットマンフレーム８の窓孔７２よりプレート２５およびプレート２５の各挿通孔２６より内側に突き出るシャフト７の各係合突起２０を突出させ、各係合突起２０は固定側ブラケット６の係合孔７３に係合させ、当接部材４５の外側からボルト等の止着部材７４によりシャフト７を固定側ブラケット６に固定する（図６）。
【００２４】
したがって、シャフト７とプレート２５と当接部材４５は固定側ブラケット６に固定であり、オットマンフレーム８に固定されたバネ取付用ブラケット１４はシャフト７に対して移動側部材となり、このバネ取付用ブラケット１４（オットマンフレーム８）にロックスプリング３０の固定側端部３３を係止している。
それゆえ、ロックスプリング３０の固定側端部３３は、オットマン４の回動と共にシャフト７中心に回転移動するが、理解を容易にするため、ロックスプリング３０の自由端３５に対して「固定」と表現しているが、これらの表現によって構成は限定されない。
【００２５】
しかして、オットマン４は、オットマンフレーム８にクッション材（図示省略）を取付け、クッション材の外周を表皮部材７７により被覆して構成し、前記オットマンフレーム８の構成は任意であるが、一例を示すと、オットマンフレーム８は、左右一対の側部フレーム７８の先端を下部横杆７９により連結して構成する（図３，図４）。一方、前記支持杆５の基部は上部横杆８０に固定し、上部横杆８０の左右何れか一方側には固定側ブラケット６を固定し、固定側ブラケット６にロック装置Ｌを介してオットマンフレーム８の一方の側部フレーム７８を取付け、上部横杆８０の左右何れか他方側にはオットマンフレーム８の他方の側部フレーム７８をシャフト７と同心の取付軸８１により取り付ける。
【００２６】
（実施例の作用）
オットマン４は略水平位置を含む使用範囲Ａで使用状態となり、使用範囲Ａでは、ロック装置Ｌは作動（ロック可能）状態となって、上方回動（オットマン４を上方回動させること）はできるが下方回動（オットマン４を下方回動させること）はロックして荷重を支持する。
そこで、オットマン４は所望位置まで上方回動させて停止させて、オットマン４の下方回動をロックすることで、オットマン４の高さ調節を行う。
【００２７】
次に、使用範囲Ａの最上位置までオットマン４を上方回動させると、この位置がオットマン４の下方回動をロックして荷重を支持する上側の限界位置であり、これを一旦越えると、戻し範囲Ｂとなり、戻し範囲Ｂではロック装置Ｌは下方回動をアンロック状態にするので、オットマン４を、使用範囲Ａの一旦最下方位置にまで下方回動させる。
オットマン４を、使用範囲Ａの一旦最下方位置にまで下方回動させると、ロック装置Ｌはロック作動状態に復帰するので、前記の作動（操作）の反復して高さ調節を行う。
【００２８】
しかして、ロック装置Ｌの作動を具体的に説明すると、固定側ブラケット６に左右方向のシャフト７の基部を固定し、シャフト７の大径部１１の外周にロックスプリング３０のコイル部３１を嵌合させ、ロックスプリング３０の一端をバネ取付用ブラケット１４に設けたステイ３２に係合させ、ロックスプリング３０の他端は自由端３５に形成し、コイル部３１はオットマン４の下方回動に伴って固定側端部３３が回転移動すると締まるように巻き方向を設定しているから、使用範囲Ａではオットマン４を下方回動させようとすると、オットマン４と共にバネ取付用ブラケット１４が下方回動して固定側端部３３を回転移動させ、これによりコイル部３１の内周とシャフト７の大径部１１の外周との間に摩擦抵抗が発生し、この抵抗によりコイル部３１の直径を小にするように作用し、この抵抗でオットマン４の下方回動を阻止してロックさせる。
【００２９】
したがって、オットマン４に掛かる荷重は下方回動を規制してロックするが、オットマン４を上方回動させると、固定側端部３３がコイル部３１を緩む巻き方向に回動して、高さ調節は自在となる。
しかして、使用範囲Ａの最上位置までオットマン４を上方回動させると、自由端３５はオットマン４と共に上方回動して、シャフト７に固定の当接部材４５の板部材４６のアンロック用当接部４７に当接する。
自由端３５がアンロック用当接部４７に当接すると、自由端３５の移動のみが規制され、停止する。
【００３０】
自由端３５がアンロック用当接部４７により移動を停止させられても、オットマン４の上方回動はコイル部３１を緩ませる方向であるから、オットマン４は引き続き上方回動して戻し範囲Ｂに至り、オットマン４はバネ取付用ブラケット１４をシャフト７中心に回転させる。
【００３１】
しかして、戻し範囲Ｂではアンロック用当接部４７により移動を止められている自由端３５がアンロック用カム面３６に並ぶと、自由端３５は切替カム溝３８（内側）に向かってシャフト７の軸方向に移動しながら切替カム溝３８内に入ってアンロック用カム面３６に係合する。
このとき、自由端３５は、該自由端３５自体の弾性により前記シャフト７の軸心方向であって切替カム溝３８への係合方向に常時付勢されているから、アンロック用当接部４７により上方回動が停止された自由端３５は切替カム溝３８と一致すると切替カム溝３８に向かって軸方向に移動して嵌合する。
【００３２】
また、アンロック用当接部４７の内端には円弧形状の当接部案内面４９を形成しているから、自由端３５は当接部案内面４９により押されてアンロック用カム面３６に向かって移動し、切替カム溝３８に嵌合する。
しかして、自由端３５が切替カム溝３８に嵌合すると、自由端３５はバネ取付用ブラケット１４の切替カム溝３８と共に移動し、ロックスプリング３０の固定側端部３３はバネ取付用ブラケット１４のステイ３２と共に回転移動し、自由端３５と固定側端部３３の位置関係は変わらないから、コイル部３１の直径は変化せず、ロック装置Ｌはアンロック状態となって、オットマン４は下方回動自在となる。
【００３３】
したがって、自由端３５が切替カム溝３８に嵌合する位置は、オットマン４がオットマン４として本来使用される使用範囲Ａの上限位置に設定しているから、使用範囲Ａを越えた戻し範囲Ｂになると、常時自由端３５は切替カム溝３８に嵌合してアンロック状態となる。
しかして、当接部材４５には切替カム溝３８に嵌合している自由端３５を離脱させて自由状態に復帰させるアンロック解除部５０を設けているから、一旦ロック装置Ｌをアンロック状態にして、使用範囲Ａの最下方位置にまでオットマン４を下方回動させると、自由端３５はアンロック解除部５０の傾斜解除面５２に当たり、更に、オットマン４を下方回動により下降する自由端３５は、傾斜解除面５２により外側に案内され、アンロック用カム面３６をシャフト７の軸方向外側に移動し、アンロック用カム面３６の外端を過ぎて隙間４１を通って切替カム溝３８から離脱する。
【００３４】
自由端３５が切替カム溝３８から離脱すると、屈曲板部３９のフランジ面４２に当接し、固定側端部３３に対する自由端３５の位置が変化可能となって、ロック装置Ｌは作動状態となり、オットマン４は上方回動は自由であり、下方回動はロック状態となって、高さ調節可能となる。
以上のように、切替カム溝３８に自由端３５を継脱させる構成は、切替カム溝３８の形状と、自由端３５に当接する当接部材４５を設ければよいので、作動が確実で安価にできる。
なお、理解を容易にするために、自由端３５が切替カム溝３８に継脱する状態を、自由端３５自体の弾性、自由端３５の配置、カム溝案内面４０と当接部案内面４９の存在等により個別または関連させて説明しているが、これらを取捨選択して組合せることも可能であり、これらの記載により本発明が限定されることはない。
【図面の簡単な説明】
【００３５】
【図１】シートの斜視図。
【図２】シートの側面図。
【図３】オットマンフレームの斜視図。
【図４】同斜視図。
【図５】ロック装置の分解斜視図。
【図６】上部横杆の一端に設けたロック装置の断面図。
【図７】上部横杆の他端の断面図。
【図８】カム溝と自由端と当接部材の位置関係説明図。
【図９】ロック可能状態の正面図。
【図１０】同側面図。
【符号の説明】
【００３６】
１…シート、２…座席シート、３…背凭シート、４…オットマン、５…支持杆、６…固定側ブラケット、７…シャフト、１０…段部、１１…大径部、１２…小径部、１３…オットマンフレーム、１４…バネ取付用ブラケット、１５…側板、１６…バーリング部、１７…透孔、１８…端面、１９…係合溝、２０…係合突起、２５…プレート、２６…挿通孔、２７…溝底面、２８…プロジェクション突起、３０…ロックスプリング、３１…コイル部、３２…ステイ、３３…固定側端部、３５…自由端、３６…アンロック用カム面、３７…案内カム面、３８…切替カム溝、３９…屈曲板部、４０…カム溝案内面４０、４１…隙間、４２…フランジ面、４５…当接部材、４６…板部材、４７…アンロック用当接部、４８…アンロック保持面、４９…当接部案内面、５０…アンロック解除部、５２…傾斜解除面、６０…樹脂ワッシャ、６１…筒部、６２…開口部、６３…フランジ部、６５…膨出部、６４…バネ端部用開口部、７０…係合孔、７１…係合突起、７２…係合孔、７４…止着部材、７５…開口孔、７７…表皮部材、７８…側部フレーム、７９…下部横杆、８０…上部横杆、８１…取付軸。
【図１】
2008013132.tif 000003
【図２】
2008013132.tif 000004
【図３】
2008013132.tif 000005
【図４】
2008013132.tif 000006
【図５】
2008013132.tif 000007
【図６】
2008013132.tif 000008
【図７】
2008013132.tif 000009
【図８】
2008013132.tif 000010
【図９】
2008013132.tif 000011
【図１０】
2008013132.tif 000012